(57)【要約】  本発明は、特に、飲料を入れる缶に関し、この缶は、ほぼ筒状のケース（１）と、この筒状のケース（１）に接続され、その各端部を閉鎖するカバープレート（２）と、缶を再度閉塞できるように開封することができるようにカバープレート（２）の凹部に設けられた閉鎖部材（３）を有している。カバープレート（２）の凹部は、カバープレート（２）の第１部分（１３）によって包囲されており、この第１部分は、缶の内部に向かってテーパー状になっているとともに、円形屈曲縁部（１７）と凹部を形成する円形縁部（２０）との間に延びる切頭円錐形状となっている。閉鎖部材（３）は、カバープレート（２）の凹部に挿入されるとともにカバープレート（２）の第１切頭円錐部分（１３）を受け、屈曲縁部（１７）が支持される第２突出部（８）によって缶の外側に向かって規制される周部溝（２１）を備えたほぼ筒状の保持部（７）を有する。缶が閉じられると、閉鎖部材（３）のスクリュー蓋（５）が、第２突出部（８）に支持される。
2009541162.tif 000002
【特許請求の範囲】
【請求項１】
飲料用の缶であって、ほぼ筒状の壁部と、この壁部に接合されると共にその頂部と底部を閉塞する板金製カバーと、前記板金製カバーの開口部に挿入されると共に、前記缶を取り外し可能に開放する密閉部材とを有しており、
前記板金製カバーの前記開口部が、前記缶の内部に向かってテーパー状になっていると共に前記開口部の円形屈曲縁部と円形リムとの間に延びる前記板金製カバーの第１円錐部によって外囲され、
前記密閉部材が、前記板金製カバーの開口部に挿入されると共に周部溝を有するほぼ筒状の保持部を有し、
前記保持部が、前記板金製カバーの第１円錐部を受け入れて、前記円形屈曲縁部を支持する第２突出部によって前記缶から遠ざかる方向で位置規制され、
前記密閉部材のスクリューキャップが、閉塞状態において、前記第２突出部に接当していることを特徴とする缶。
【請求項２】
前記保持部の前記周部溝が、この周部溝側において支持ショルダー部を有すると共に、この支持ショルダー部と反対側が円錐状になっている第１突出部によって軸方向で位置規制されていることを特徴とする請求項１に記載の缶。
【請求項３】
前記保持部の前記周部溝の軸方向の長さが、前記板金製カバーの前記第１円錐部の軸方向延設長さに対応することを特徴とする請求項１又は２に記載の缶。
【請求項４】
前記缶から遠ざかる方向にテーパー状になっている第２円錐部が、前記第１円錐部の径方向外側に設けられていることを特徴とする請求項１〜３のいずれか一項に記載の缶。
【請求項５】
前記開口部が、前記板金製カバーにおいて偏心して位置すると共に、前記板金製カバーの縁部の直近に位置していることを特徴とする請求項１〜４のいずれか一項に記載の缶。
【請求項６】
前記密閉部材が、単体の基部とスクリューキャップからなることを特徴とする請求項１〜５のいずれか一項に記載の缶。
【請求項７】
前記密閉部材が、引き開けることのできる安全蓋を備えていることを特徴とする請求項６に記載の缶。
【請求項８】
前記引き開け式安全蓋が、プレートの一部であり、その周縁部が、前記円形屈曲縁部が接当する前記第２突出部を形成していることを特徴とする請求項７に記載の缶。
【請求項９】
前記安全蓋に引き開けループが形成されていることを特徴とする請求項７又は８に記載の缶。
【請求項１０】
前記密閉部材が、樹脂製、特にポリオレフィン製であることを特徴とする請求項１〜９のいずれか一項に記載の缶。
【請求項１１】
前記密閉部材を備えた板金製カバーの反対側に位置する下側板金製カバーが、別の缶の密閉部材を受けてそこに第１の缶が積み重ねられる形状の凹部を有していることを特徴とする請求項１〜１０のいずれか一項に記載の缶。
【発明の詳細な説明】
【技術分野】
【０００１】
本発明は、特に飲料用の缶であって、筒状の壁部１と、この壁部２に接合されると共にその頂部と底部を閉塞する板金製カバー２と、前記板金製カバー２の開口部に挿入されると共に、前記缶を取り外し可能に開放する密閉部材３とを有しており、前記板金製カバー２の前記開口部が、前記缶の内部に向かってテーパー状になっていると共に前記開口部の円形屈曲縁部１７と円形リム２０との間に延びる前記板金製カバー２の第１円錐部１３によって外囲され、前記密閉部材３には、前記板金製カバー２の開口部に挿入されると共に、前記板金製カバー２の第１円錐部１３を受けて、前記屈曲縁部１７を支える第２突出部８によって前記缶から遠ざかる方向が制限される周部溝２１を備えた筒状の保持部７が設けられている缶に関する。
【０００２】
従来の飲料用缶は、缶に開口部を作るためにユーザによって引き開けられる密閉部材を有している。
【先行技術文献】
【特許文献】
【０００３】
【特許文献１】アメリカ特許第２，６８７，８３１号公報
【特許文献２】アメリカ特許第３，９９８，３５４号公報
【特許文献３】アメリカ特許第４，３２７，８４２号公報
【発明の概要】
【発明が解決しようとする課題】
【０００４】
通常、上記缶の開口部は取り外し可能ではない。缶の開封と取り外しを可能にする他の種々の密閉部材が公知である。これらの部材は製造が困難であり、大量生産すると失敗しやすいことから、問題の根源となっている。
【０００５】
アメリカ特許第２，６８７，８３１号は、対応する保持部材にはめ込まれる密閉部材を備えた缶を開示している。このタイプの密閉部材は、飲み口を閉じるのには適しているが、スクリュー型の閉鎖で生じる力やモーメントに耐えることができない。アメリカ特許第３，９９８，３５４号及びアメリカ特許第４，３２７，８４２号には、強度が不十分な他の閉鎖部材が記載されている。
【０００６】
本発明の目的は、製造が簡単で経済的であると共に、扱いが容易な取り外し可能な密閉部材を備えた缶を提供することにある。この密閉部材は、特に頑丈であって、缶の保管や処分を妨げるものであってはならない。特に、缶の開封時に生じる力やモーメントは、確実に支持されなければならない。
【課題を解決するための手段】
【０００７】
本願発明は、飲料用の缶であって、ほぼ筒状の壁部１と、この壁部１に接合されると共にその頂部と底部を閉塞する板金製カバー２と、前記板金製カバー２の開口部に挿入されると共に、前記缶を取り外し可能に開放する密閉部材３とを有しており、前記板金製カバー２の前記開口部が、前記缶の内部に向かってテーパー状になっていると共に前記開口部の円形屈曲縁部１７と円形リム２０との間に延びる前記板金製カバー２の第１円錐部１３によって外囲され、前記密閉部材３が、前記板金製カバー２の開口部に挿入されると共に周部溝２１を有するほぼ筒状の保持部７を有し、前記保持部７が、前記板金製カバー２の第１円錐部１３を受け入れて、前記円形屈曲縁部１７を支持する第２突出部８によって前記缶から遠ざかる方向で位置規制されるものであり、
その特徴構成は、前記密閉部材３のスクリューキャップ５が、閉塞状態において、前記第２突出部８に接当している点にある。
【０００８】
本願発明の更なる特徴構成は、前記保持部７の前記周部溝２１が、この周部溝２１側において支持ショルダー部１６を有すると共に、この支持ショルダー部１６と反対側が円錐状になっている第１突出部９によって軸方向で位置規制されている点にある。
【０００９】
本願発明の更なる特徴構成は、前記保持部７の前記周部溝２１の軸方向の長さが、前記板金製カバー２の前記第１円錐部１３の軸方向延設長さに対応する点にある。
【００１０】
本願発明の更なる特徴構成は、前記缶から遠ざかる方向にテーパー状になっている第２円錐部１４が、前記第１円錐部１３の径方向外側に設けられている点にある。
【００１１】
本願発明の更なる特徴構成は、前記開口部が、前記板金製カバー２において偏心して位置すると共に、前記板金製カバー２の縁部の直近に位置している点にある。
【００１２】
本願発明の更なる特徴構成は、前記密閉部材３が、単体の基部４とスクリューキャップ５からなる点にある。
【００１３】
本願発明の更なる特徴構成は、引き開けることのできる安全蓋１０を備えている点にある。
【００１４】
本願発明の更なる特徴構成は、前記引き開け式安全蓋１０が、プレート６の一部であり、その周縁部が、前記円形屈曲縁部１７が接当する前記第２突出部８を形成している点にある。
【００１５】
本願発明の更なる特徴構成は、前記安全蓋１０に引き開けループ１１が形成されている点にある。
【００１６】
本願発明の更なる特徴構成は、前記密閉部材３が、樹脂製、特にポリオレフィン製である点にある。
【００１７】
本願発明の更なる特徴構成は、前記密閉部材３を備えた板金製カバー２の反対側に位置する下側板金製カバーが、別の缶の密閉部材を受けてそこに第１の缶が積み重ねられる形状の凹部を有している点にある。
【００１８】
本発明によると、密閉部材のスクリューキャップが、閉塞状態において、第２突出部に支持されている。本発明の重要な特徴は、密閉部材が、板金製カバーの開口部に簡単かつ確実に挿入されることである。その結果、一種の嵌め込み式接続となり、寸法が適切に選択されれば、密閉部材の開口部への比較的簡単な挿入を可能にしながら、部材の確実な密封性も保証する。同時に、液漏れを防止できる密閉性を提供するため、缶の中身がこぼれたりする不都合を防止する。
【００１９】
密閉部材のスクリューキャップが、閉塞状態において第２突出部に対して押し付けられていると、頑丈な構造と共に、密閉部材の特に確実な機能が実現される。これにより、キャップが螺合された場合に端部位置が固定される。
【００２０】
保持部の周部溝が、溝側にショルダー部を有し、反対側が円錐状になっている第１突出部によって軸方向が制限されていると、缶の組立ては特に容易になる。このように、密閉部材は、開口部へ挿入されると、永久的な変形が生じることなく、容易に開口部の縁部に滑り込むようになっている。
【００２１】
保持部の周部溝の軸方向の幅が、板金製カバーの第１円錐部の軸方向延長部に対応していることにより、密閉部材の特に確実な密着性が実現される。これにより、密閉部材の軸方向の遊びが排除される。この場合、保持部の周部溝が、屈曲縁部が支持される第２突出部によって缶から遠ざかる方向に制限されていると、特に有利である。
【００２２】
第１円錐部に径方向に隣接すると共に、缶から遠ざかる方向にテーパー状になっている第２円錐部が第１円錐部の外側に設けられていると、特に有利なことがわかっている。これにより、硬質な樹脂製材料が用いられている場合でも、密閉部材が挿入された場合の損傷を避けるべく、バネ効果が向上し、十分な弾性が付与される。
【００２３】
材料強度の観点からは、開口部が板金製カバーに偏心して設けられている、つまり、カバーの縁部の直近に隣接していると、特に有利である。また、これにより、ユーザが、缶の中身を完全に排出することができる。
【００２４】
密閉部材が、単体の基部とスクリューキャップからなっていると、特に簡素な構成が実現される。
飲料用缶の場合、しばしば、缶がまだ元の密閉状態であるか、すでに開封されているかを識別できる安全密閉材が要求される。引き開け式缶はこの機能を果たす。好ましくは、安全密閉材が、周縁部が、屈曲縁部が支持される第２突出部を形成するプレートの一部であるとよい。あるいは、その代わりに、飲料用ボトルに使用される不正行為防止リングを備えたスクリューキャップを設けることも可能である。
【００２５】
閉塞状態において、密閉部材のスクリューキャップが第２突出部に載置されていると、頑丈な構成及び確実な機能が実現する。これにより、キャップが螺合されたとき、端部位置が確実に規定される。
密閉部材は、特に、ＰＥやＰＰなどのポリオレフィンの樹脂材料製であると好ましい。
缶は、板金製カバーの密閉部材と反対側の板金製底部に、第１の缶を積み重ねられる別の缶の密閉部材を受ける形状をした凹部を設けることによって、積み重ね可能な構造とすることができる。このように、密閉部材を過度な負荷にさらすことなく、缶が互いに積み重ねられて、横すべりや転倒などすることなく固定されるような缶の積重ねが形成される。
【図面の簡単な説明】
【００２６】
【図１】本発明による缶の部分断面図である。
【図２】図１の詳細図である。
【発明を実施するための形態】
【００２７】
以下に、本発明の実施形態を図面に基づいて説明する。
図１の缶は、筒状壁部１を有しており、密閉部材３を備えた板金製カバー２によって頂部が閉塞されている。密閉部材３は基部４と、この基部４に螺合されるスクリューキャップ５からなる。
【００２８】
基部４はプレート６を備えており、ここに保持部となる環状の筒状下方延長部７が形成されている。プレート６は、保持部７の直径を超えて、フランジとして連続しており、ここでは、これを第２突出部８と称す。第２突出部８の下方には、同様に環状の第１突出部９が設けられている。
【００２９】
プレート６は安全蓋となっており、ループ１１により引き開けることができる。これは、最初に缶を開封する前に、中味がこぼれたり、汚染されたりしないよう安全性を与える一方、他方では、ユーザが、缶が未開封状態であるか、すでに開封されているかを確認できるようにしている。
【００３０】
密閉部材３が挿入される開口部を囲む板金製カバー２の周縁部領域１２は、缶の内部に向かう方向に先細ると共に、円形屈曲縁部１７と円形リム２０との間に延びて、開口部との境界となる第１円錐部１３を有している。第１円錐部１３は、別の屈曲縁部１９で別の円錐部１５に接合されている第２円錐部１４に接続している。
【００３１】
円形リム２０は、予備負荷で、第１突出部９と第２突出部８との間の筒状下方延長部７の周囲に形成された保持部７の溝２１に対して押圧されている。円形リム２０は第１突出部９の支持ショルダー部１６に接当している。予備負荷により、缶の板金製カバー２に対する密閉部材３の確実な密封が保証される。
【００３２】
溝２１の軸方向幅と円錐部１３の高さはほぼ等しいため、屈曲縁部１７は、第２突出部８の下部１８に接当する。
第１突出部９は、支持ショルダー部１６と反対側のその下方に、傾斜領域２２を有している。よって、密閉部材３は、製造中に、これを板金製カバ−２の開口部に嵌め込むことにより、簡単に缶に装着することができる。第１円錐部１３は弾性的に拡張し、第１突出部９に滑り込んだ後、溝２１に固定される。缶を捨てるときは、密閉部材３を簡単に缶から外すことができる。
【００３３】
本発明により、簡単に、頑丈な取り外し可能な容器を製造することができ、よって、高い実用性が得られる。
【産業上の利用可能性】
【００３４】
本発明の缶は、製造が簡単で経済的であると共に、扱いが容易な取り外し可能な密閉部材を備えた缶として、有効に利用可能である。
【図１】
2009541162.tif 000003
【図２】
2009541162.tif 000004
【国際調査報告】
2009541162.tif 000005
2009541162.tif 000006
2009541162.tif 000007
2009541162.tif 000008
2009541162.tif 000009
2009541162.tif 000010